(57)【要約】      （修正有）【課題】転写定着ベルト（又は転写定着ローラ）の表面層の劣化、中間転写ベルトの転写性の低下、像担持体の表面の劣化等を防止して、耐久性と信頼性とを向上させると共に、運転復帰時間を短縮させた転写定着装置を提供する。【解決手段】前記転写定着ベルト２が、モータ７で回転する支点３、該支点３を中心にして揺動可能としたＬ字状の揺動アーム６を構成する一方のアーム６ａの先端に固定した転写圧接ローラ４、及び、該Ｌ字状の揺動アーム６を構成する他方のアーム６ｂの先端に固定した定着ローラ５によって、回転可能に保持され、前記モータ７を回転させて前記Ｌ字状の揺動アーム６の先端に固定した転写圧接ローラ４及び定着ローラ５に保持された転写定着ベルト２を中間転写ベルト１及び加圧部材９から離反させるようにした転写定着ベルト２の揺動制御部１２が設けられる。【選択図】図１
2006235421.tif 000002
【特許請求の範囲】
【請求項１】
中間転写ベルトと、該中間転写ベルト上に形成された画像を記録媒体上に転写して定着する転写定着ベルトと、該転写定着ベルト上に転写された画像を該記録媒体上に定着する定着ローラと、該転写定着ベルトを介して該定着ローラに当接することによりニップを形成する加圧部材と、を設けて、該ニップを通過する該記録媒体上に画像を加圧して定着させるようにした、転写定着装置において、
（イ）前記転写定着ベルトが、モータで回転する支点、該支点を中心にして揺動可能としたＬ字状の揺動アームを構成する一方のアームの先端に固定した、中間転写ベルト上に形成された画像を該転写定着ベルトに転写圧接する、転写圧接ローラ、及び、該Ｌ字状の揺動アームを構成する他方のアームの先端に固定した定着ローラによって、回転可能に保持され、そして、
（ロ）前記定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記Ｌ字状の揺動アームの先端に固定した転写圧接ローラ及び定着ローラに保持された転写定着ベルトを中間転写ベルト及び加圧部材から離反させるようにした転写定着ベルトの揺動制御部が設けられている
ことを特徴とする転写定着装置。
【請求項２】
前記転写定着ベルトの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記Ｌ字状の揺動アームの先端に固定した転写圧接ローラ及び定着ローラに保持された転写定着ベルトを中間転写ベルト及び加圧部材に所定の圧力で圧着させるようにしたものとなっていることを特徴とする請求項１に記載の転写定着装置。
【請求項３】
中間転写ベルトと、該中間転写ベルト上に形成された画像を記録媒体上に転写して定着する転写定着ベルトと、該転写定着ベルト上に転写された画像を該記録媒体上に定着する定着ローラと、該転写定着ベルトを介して該定着ローラに当接することによりニップを形成する加圧部材と、を具えた、該ニップを通過する該記録媒体上に画像を加圧して定着させるようにした、転写定着装置において、
（イ）前記転写定着ベルトが、モータで回転する支点、該支点を中心にして揺動可能とした揺動アームの先端に固定した、中間転写ベルト上に形成された画像を該転写定着ベルトに転写圧接する、転写圧接ローラ、及び、転写定着装置本体に固定した定着ローラによって、回転可能に保持され、そして、
（ロ）前記定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記揺動アームの先端に固定した転写圧接ローラに保持された転写定着ベルトを中間転写ベルトから離反させるようにした転写定着ベルトの揺動制御部が設けられている
ことを特徴とする転写定着装置。
【請求項４】
前記転写定着ベルトの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記揺動アームの先端に固定した転写圧接ローラに保持された転写定着ベルトを中間転写ベルトに所定の圧力で圧着させるようにしたものとなっていることを特徴とする請求項３に記載の転写定着装置。
【請求項５】
中間転写ベルトと、該中間転写ベルト上に形成された画像を記録媒体上に転写して定着する転写定着ベルトと、該転写定着ベルト上に転写された画像を該記録媒体上に定着する定着ローラと、該転写定着ベルトを介して該定着ローラに当接することによりニップを形成する加圧部材と、を具えた、該ニップを通過する該記録媒体上に画像を加圧して定着させるようにした、転写定着装置において、
（イ）前記転写定着ベルトが、モータで回転する支点、該支点を中心にして揺動可能としたアームの先端に固定した定着ローラ、及び、転写定着装置本体に固定した、中間転写ベルト上に形成された画像を該転写定着ベルトに転写圧接する、転写圧接ローラによって、回転可能に保持され、そして、
（ロ）前記定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記揺動アームの先端に固定した定着ローラに保持された転写定着ベルトを加圧部材から離反させるようにした転写定着ベルトの揺動制御部が設けられている
ことを特徴とする転写定着装置。
【請求項６】
前記転写定着ベルトの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記揺動アームの先端に固定した定着ローラに保持された転写定着ベルトを加圧部材に所定の圧力で圧着させるようにしたものとなっていることを特徴とする請求項５に記載の転写定着装置。
【請求項７】
前記定着ローラ及び／又は支点が加熱源を有していることを特徴とする請求項１〜６のいずれか１項に記載の転写定着装置。
【請求項８】
前記転写定着ベルトが前記加圧部材に対して主駆動部材とされていることを特徴とする請求項１〜７のいずれか１項に記載の転写定着装置。
【請求項９】
前記転写定着ベルト及び前記加圧部材の少なくとも一方が弾性層を有し、そして、前記転写定着ベルト及び前記加圧部材の弾性層の厚みの総和が、記録媒体の厚みの２倍以上の大きさを有することを特徴とする請求項１〜８のいずれか１項に記載の転写定着装置。
【請求項１０】
前記転写定着ベルト及び前記加圧部材の少なくとも一方の表面層が、フッ素樹脂を主体とする材料で構成されることを特徴とする請求項１〜９のいずれか１項に記載の転写定着装置。
【請求項１１】
前記表面層を構成するフッ素樹脂が、四フッ化エチレン・パーフロロアルキルビニルエーテル共重合体樹脂（ＰＦＡ）であることを特徴とする請求項１０に記載の転写定着装置。
【請求項１２】
前記表面層が導電性物質を含有していることを特徴とする請求項１０又は１１に記載の転写定着装置。
【請求項１３】
前記導電物質がカーボンであることを特徴とする請求項１２に記載の転写定着装置。
【請求項１４】
前記カーボンのヨウ素吸着量が４３ｍｇ／ｇ以上であることを特徴とする請求項１３に記載の転写定着装置。
【請求項１５】
中間転写ベルトと、該中間転写ベルト上に形成された画像を記録媒体上に転写して定着する転写定着ローラと、該転写定着ローラに当接することによりニップを形成する加圧部材と、を設けて、該ニップを通過する該記録媒体上に画像を加圧して定着させるようにした、転写定着装置において、
（イ）前記転写定着ローラが、モータで回転する支点を中心にして揺動可能とした揺動アームの先端に回転可能に保持され、そして、
（ロ）前記転写定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記揺動アームの先端に回転可能に保持された転写定着ローラを加圧部材から離反させるようにした転写定着ローラの揺動制御部が設けられている
ことを特徴とする転写定着装置。
【請求項１６】
前記転写定着ローラの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記揺動アームの先端に回転可能に保持された転写定着ローラを加圧部材に所定の圧力で圧着させるようにしたものとなっていることを特徴とする請求項１５に記載の転写定着装置。
【請求項１７】
前記転写定着ローラに加熱源を有していることを特徴とする請求項１５又は１６に記載の転写定着装置。
【請求項１８】
前記転写定着ローラを前記加圧部材に対して主駆動部材としたことを特徴とする請求項１５〜１７のいずれか１項に記載の転写定着装置。
【請求項１９】
前記転写定着ローラ及び前記加圧部材の少なくとも一方が弾性層を有し、そして、前記転写定着ローラ及び前記加圧部材の弾性層の厚みの総和が記録媒体の厚みの２倍以上の大きさを有することを特徴とする請求１５〜１８いずれか１項に記載の転写定着装置。
【請求項２０】
基体、該基体上に耐熱性合成ゴムで構成する弾性層、及び、フッ素樹脂で構成する表面層を順次有する転写定着部材において、前記表面層を構成するフッ素樹脂の融点が、前記弾性層を構成する耐熱性合成ゴムの酸化開始温度よりも２０℃以上低いものとし、且つ、前記表面層が、前記フッ素樹脂の融点以上の温度であって前記弾性層を構成する耐熱性合成ゴムの酸化開始温度を超えない焼成温度で焼成されたものとしたことを特徴とする転写定着部材。
【請求項２１】
前記弾性層を構成する耐熱性ゴムが、シリコーンゴム又はフロロシリコーンゴムを主成分とすることを特徴とする請求項２０に記載の転写定着部材。
【請求項２２】
前記表面層を構成するフッ素樹脂が、四フッ化エチレン・パーフロロアルキルビニルエーテル共重合体樹脂（ＰＦＡ）であることを特徴とする請求項２０又は２１に記載の転写定着部材。
【請求項２３】
前記表面層が導電性物質を含有していることを特徴とする請求項２０〜２２のいずれか１項に記載の転写定着部材。
【請求項２４】
前記導電性物質がカーボンであることを特徴とする請求項２３に記載の転写定着部材。
【請求項２５】
前記カーボンのヨウ素吸着量が４３ｍｇ／ｇ以上であることを特徴とする請求項２４に記載の転写定着部材。
【請求項２６】
請求項１〜１９のいずれか１項に記載の転写定着装置を有することを特徴とする画像形成装置。
【発明の詳細な説明】
【技術分野】
【０００１】
本発明は、電子写真複写機、レーザプリンタ、ファクシミリ等の画像形成装置において用いられるローラ、シート、無端ベルト等の定着部材及びそれを有する画像形成装置に関する。
【背景技術】
【０００２】
図７は、従来の電子写真方式の画像形成装置の説明図である。従来の電子写真方式の画像形成装置２２０、例えば、複写機及びレーザプリンタは、静電潜像が形成される像担持体２０１、像担持体２０１に接触して帯電処理を行う帯電ローラ２０２、レーザビーム等の露光手段２０３、像担持体２０１の静電潜像にトナーを付着させる現像ローラ２０４、帯電ローラ２０２にＤＣ電圧を印加するためのパワーパック２０５、像担持体２０１上のトナー像を記録媒体（記録紙）２０７に転写処理する転写ローラ２０６、転写処理後の像担持体２０１をクリーニングするためのクリーニング装置２０８、像担持体２０１の表面電位を測定する表面電位計２０９、並びに、加熱定着ローラ２１１及び加圧ローラ２１２からなるローラ方式の熱定着装置２１０によって構成されている。
【０００３】
この電子写真方式を用いる画像形成装置２２０は、回転する像担持体２０１の感光体層を帯電ローラ２０２を用いて一様に帯電させた後にレーザビーム等の露光手段２０３で露光して静電潜像を形成し、この静電潜像をトナーによって現像することによりトナー像とし、このトナー像を記録媒体２０７上に転写し、そして、この記録媒体２０７を加熱定着ローラ２１１及び加圧ローラ２１２からなるローラ方式の熱定着装置２１０に通過させてトナー像を熱定着するように構成されている。
【０００４】
このような画像形成装置２２０の熱定着装置においては、アルミニウム等の金属の中空円筒体からなる芯金の外周面にトナーの粘着を防止するために被覆されたフッ素樹脂からなる表面層（離型層）を設けた加熱定着ローラ２１１が使用されているが、この加熱定着ローラ２１１は、芯金の中空部に回転中心線に沿ってハロゲンランプ等のヒータを配置し、その輻射熱によって加熱定着ローラ２１１を内側から加熱するようになっており、そして、加熱定着ローラ２１１と加圧ローラ２１２との間に記録媒体２０７を通過させることにより、記録媒体２０７の上に付着しているトナーを加熱定着ローラ２１１の熱により軟化させつつ加圧して記録媒体上に定着させるようになっている。
【０００５】
図８は、従来のベルト方式の定着装置の説明図である。図８に示されているように、従来の電子写真方式の画像形成装置においては、加熱ローラ２１５と定着ローラ２１４とによって回転可能に設けた定着ベルト２１３、及び、前記定着ベルト２１３を介して前記定着ローラ２１４に接するように設けた加圧ローラ２１６を有するベルト方式の熱定着装置２１７が用いられている。このようなベルト方式の熱定着装置２１７は、加熱ローラ２１５で加熱された定着ベルト２１３と加圧ローラ２１６との間に記録媒体２０７を通過させることにより、記録媒体２０７の上に付着しているトナーを定着ベルト２１３の熱により軟化させつつ加圧ローラ２１６で加圧して記録媒体上に定着させるようになっている。
【０００６】
ここで、フルカラー複写機、レーザープリンタでは、赤（マゼンタ）、青（シアン）、黄（イエロー）、黒（ブラック）の４色のカラートナーが用いられるが、カラー画像の定着時には、これらのカラートナーを溶融状態で混合する必要があるので、カラートナーを低融点化して溶融しやすくすると共に、加熱定着ローラ表面で複数種のカラートナーを包み込むようにしてこれらのカラートナーを溶融状態において均一に混合させることが必要になる。したがって、これらのカラートナーをより長い時間加熱する方式が必要になってきた。
【０００７】
そこで、中間転写体の駆動ローラの内部に熱源を設けて、該中間転写体に加圧部材を圧接してニップを形成する方式が提案された（特許文献１を参照。）。この装置は、ニップ手前で加熱されたカラートナーをニップで記録媒体に定着するものである。この方式によれば、中間転写体から記録媒体への２次転写は静電気力ではなく定着の熱によって行われるので、トナーの加熱時間を長く設定することができる。しかしながら、特許文献１に記載された方式では、カラートナーの加熱時間と同じだけ中間転写体も加熱され、しかも、その内面側から層厚み方向全体に加熱されるので、次の工程において、中間転写体が一次転写領域に入る際に像担持体も加熱され、そのために、カラートナーが像担持体に固着するという問題があった。
【０００８】
この問題を解決するために、中間転写体を用いた場合の中間転写体への過熱を防止しながら定着効率及び画像品質を向上させることができ、しかも、中間転写体を用いた場合の中間転写体への過熱を防止しながら省スペース化及び定着効率さらには画像品質を向上させることができる定着装置が提案された（特許文献２を参照。）。
【０００９】
この定着装置では、潜像を感光体から中間転写体へ転写した後、転写定着部材へ移行させ、最後に、転写定着部材と加圧部材とで潜像を加圧し記録媒体上に定着させるので、転写定着部材上でトナーが加熱される時間が長く、結果として、複数のカラートナーを溶融させるに十分な熱量を効率良く与えることができ、そのために、十分な光沢があって光沢ムラの少ない画像を定着することができる。この定着装置によれば、ニップ部において定着温度を下げることができるので、立上り時間の短縮をすることができ、そのために、省エネルギーに寄与することができる。また、この定着装置によれば、加圧部においてニップを小さくとることができるので、記録媒体への熱移動を最小限にとどめることができ、そのために、効率の良い加熱・加圧を実現することができる。
【００１０】
しかしながら、この定着装置においては、像担持体の熱劣化を低減するために、「加熱機構を有する転写定着部材」から、「像担持体に接している中間転写部材」、「加圧部材」への熱の流入を極力抑制する必要があるので、熱放射（熱移動）を抑制する熱遮蔽部材又は熱移動抑止部材としての断熱プレートを設ける必要があり、また、中間転写部材の転写部と、最も上流側の像担持体に対する転写部と、の間に中間転写部材の熱を奪う冷却部材としての冷却ローラを設ける必要があった。
【特許文献１】特開平１０−６３１２１号公報
【特許文献２】特開２００４−１４５２６０号公報
【発明の開示】
【発明が解決しようとする課題】
【００１１】
しかしながら、従来の定着装置によれば、記録媒体が定着ローラと加圧ローラの間に形成されるニップを通過する時にジャム（巻き付き）を起こしてその搬送が停止された際に、転写定着部材の一部に過度の熱負荷がかかるという問題があった。従来の定着装置に設けられた冷却機構は、一連の定着サイクルのなかでの熱流入−損失をもとに設計されているので、復帰したとき、又は、そのまま加熱されつづけた転写定着部材への予期し得ない熱の流入に対して、その効力は十分発揮されず、そのために、中間転写部材まで過剰な熱が伝達されてしまい、よって、過剰な一部の熱が像担持体に伝播されて像担持体表面の熱劣化を促進するという問題があった。また、このような過度の加熱は、転写定着部材そのものの表層劣化や、転写定着部材が複層により構成されていた場合には、膜の剥離などの不具合を発生させるという問題があった。
【００１２】
本発明は、かかる問題を解決することを目的としている。
【００１３】
即ち、本発明は、転写定着ベルト（又は転写定着ローラ）の表面層の劣化、層間剥離、及び、表面層へのトナーの圧接固着、並びに、中間転写ベルトの昇温による中間転写ベルト自体の転写性の低下、及び、像担持体の表面の劣化、を防止して、耐久性と信頼性とを向上させると共に、運転復帰時間を短縮させた転写定着装置、それに用いる転写定着部材、及び、それを有する画像形成装置を提供することを目的としている。
【課題を解決するための手段】
【００１４】
請求項１に記載された発明は、上記目的を達成するために、中間転写ベルトと、該中間転写ベルト上に形成された画像を記録媒体上に転写して定着する転写定着ベルトと、該転写定着ベルト上に転写された画像を該記録媒体上に定着する定着ローラと、該転写定着ベルトを介して該定着ローラに当接することによりニップを形成する加圧部材と、を設けて、該ニップを通過する該記録媒体上に画像を加圧して定着させるようにした、転写定着装置において、
（イ）前記転写定着ベルトが、モータで回転する支点、該支点を中心にして揺動可能としたＬ字状の揺動アームを構成する一方のアームの先端に固定した、中間転写ベルト上に形成された画像を該転写定着ベルトに転写圧接する、転写圧接ローラ、及び、該Ｌ字状の揺動アームを構成する他方のアームの先端に固定した定着ローラによって、回転可能に保持され、そして、
（ロ）前記定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記Ｌ字状の揺動アームの先端に固定した転写圧接ローラ及び定着ローラに保持された転写定着ベルトを中間転写ベルト及び加圧部材から離反させるようにした転写定着ベルトの揺動制御部が設けられている
ことを特徴とする転写定着装置である。
【００１５】
請求項２に記載された発明は、請求項１に記載された発明において、前記転写定着ベルトの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記Ｌ字状の揺動アームの先端に固定した転写圧接ローラ及び定着ローラに保持された転写定着ベルトを中間転写ベルト及び加圧部材に所定の圧力で圧着させるようにしたものとなっていることを特徴とするものである。
【００１６】
請求項３に記載された発明は、中間転写ベルトと、該中間転写ベルト上に形成された画像を記録媒体上に転写して定着する転写定着ベルトと、該転写定着ベルト上に転写された画像を該記録媒体上に定着する定着ローラと、該転写定着ベルトを介して該定着ローラに当接することによりニップを形成する加圧部材と、を具えた、該ニップを通過する該記録媒体上に画像を加圧して定着させるようにした、転写定着装置において、
（イ）前記転写定着ベルトが、モータで回転する支点、該支点を中心にして揺動可能とした揺動アームの先端に固定した、中間転写ベルト上に形成された画像を該転写定着ベルトに転写圧接する、転写圧接ローラ、及び、転写定着装置本体に固定した定着ローラによって、回転可能に保持され、そして、
（ロ）前記定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記揺動アームの先端に固定した転写圧接ローラに保持された転写定着ベルトを中間転写ベルトから離反させるようにした転写定着ベルトの揺動制御部が設けられている
ことを特徴とする転写定着装置である。
【００１７】
請求項４に記載された発明は、請求項３に記載された発明において、前記転写定着ベルトの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記揺動アームの先端に固定した転写圧接ローラに保持された転写定着ベルトを中間転写ベルトに所定の圧力で圧着させるようにしたものとなっていることを特徴とするものである。
【００１８】
請求項５に記載された発明は、中間転写ベルトと、該中間転写ベルト上に形成された画像を記録媒体上に転写して定着する転写定着ベルトと、該転写定着ベルト上に転写された画像を該記録媒体上に定着する定着ローラと、該転写定着ベルトを介して該定着ローラに当接することによりニップを形成する加圧部材と、を具えた、該ニップを通過する該記録媒体上に画像を加圧して定着させるようにした、転写定着装置において、
（イ）前記転写定着ベルトが、モータで回転する支点、該支点を中心にして揺動可能としたアームの先端に固定した定着ローラ、及び、転写定着装置本体に固定した、中間転写ベルト上に形成された画像を該転写定着ベルトに転写圧接する、転写圧接ローラによって、回転可能に保持され、そして、
（ロ）前記定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記揺動アームの先端に固定した定着ローラに保持された転写定着ベルトを加圧部材から離反させるようにした転写定着ベルトの揺動制御部が設けられている
ことを特徴とする転写定着装置である。
【００１９】
請求項６に記載された発明は、請求項５に記載された発明において、前記転写定着ベルトの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記揺動アームの先端に固定した定着ローラに保持された転写定着ベルトを加圧部材に所定の圧力で圧着させるようにしたものとなっていることを特徴とするものである。
【００２０】
請求項７に記載された発明は、請求項１〜６のいずれか１項に記載の発明において、前記定着ローラ及び／又は支点が加熱源を有していることを特徴とするものである。
【００２１】
請求項８に記載された発明は、請求項１〜７のいずれか１項に記載の発明において、前記転写定着ベルトが前記加圧部材に対して主駆動部材とされていることを特徴とするものである。
【００２２】
請求項９に記載された発明は、請求項１〜８のいずれか１項に記載の発明において、前記転写定着ベルト及び前記加圧部材の少なくとも一方が弾性層を有し、そして、前記転写定着ベルト及び前記加圧部材の弾性層の厚みの総和が、記録媒体の厚みの２倍以上の大きさを有することを特徴とするものである。
【００２３】
請求項１０に記載された発明は、請求項１〜９のいずれか１項に記載の発明において、前記転写定着ベルト及び前記加圧部材の少なくとも一方の表面層が、フッ素樹脂を主体とする材料で構成されることを特徴とするものである。
【００２４】
請求項１１に記載された発明は、請求項１０に記載された発明において、前記表面層を構成するフッ素樹脂が、四フッ化エチレン・パーフロロアルキルビニルエーテル共重合体樹脂（ＰＦＡ）であることを特徴とするものである。
【００２５】
請求項１２に記載された発明は、請求項１０又は１１に記載された発明において、前記表面層が導電性物質を含有していることを特徴とするものである。
【００２６】
請求項１３に記載された発明は、請求項１２に記載された発明において、前記導電性物質がカーボンであることを特徴とするものである。
【００２７】
請求項１４に記載された発明は、請求項１３に記載された発明において、前記カーボンのヨウ素吸着量が４３ｍｇ／ｇ以上であることを特徴とするものである。
【００２８】
請求項１５に記載された発明は、中間転写ベルトと、該中間転写ベルト上に形成された画像を記録媒体上に転写して定着する転写定着ローラと、該転写定着ローラに当接することによりニップを形成する加圧部材と、を設けて、該ニップを通過する該記録媒体上に画像を加圧して定着させるようにした、転写定着装置において、
（イ）前記転写定着ローラが、モータで回転する支点を中心にして揺動可能とした揺動アームの先端に回転可能に保持され、そして、
（ロ）前記転写定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記揺動アームの先端に回転可能に保持された転写定着ローラを加圧部材から離反させるようにした転写定着ローラの揺動制御部が設けられている
ことを特徴とする転写定着装置である。
【００２９】
請求項１６に記載された発明は、請求項１５に記載された発明において、前記転写定着ローラの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記揺動アームの先端に回転可能に保持された転写定着ローラを加圧部材に所定の圧力で圧着させるようにしたものとなっていることを特徴とするものである。
【００３０】
請求項１７に記載された発明は、請求項１５又は１６に記載された発明において、前記転写定着ローラに加熱源を有していることを特徴とするものである。
【００３１】
請求項１８に記載された発明は、請求項１５〜１７のいずれか１項に記載の発明において、前記転写定着ローラを前記加圧部材に対して主駆動部材としたことを特徴とするものである。
【００３２】
請求項１９に記載された発明は、請求項１５〜１８のいずれか１項に記載の発明において、前記転写定着ローラ及び前記加圧部材の少なくとも一方が弾性層を有し、そして、前記転写定着ローラ及び前記加圧部材の弾性層の厚みの総和が記録媒体の厚みの２倍以上の大きさを有することを特徴とするものである。
【００３３】
請求項２０に記載された発明は、基体、該基体上に耐熱性合成ゴムで構成する弾性層、及び、フッ素樹脂で構成する表面層を順次有する転写定着部材において、前記表面層を構成するフッ素樹脂の融点が、前記弾性層を構成する耐熱性合成ゴムの酸化開始温度よりも２０℃以上低いものとし、且つ、前記表面層が、前記フッ素樹脂の融点以上の温度であって前記弾性層を構成する耐熱性合成ゴムの酸化開始温度を超えない焼成温度で焼成されたものとしたことを特徴とするものである。
【００３４】
請求項２１に記載された発明は、請求項２０に記載された発明において、前記弾性層を構成する耐熱性ゴムが、シリコーンゴム又はフロロシリコーンゴムを主成分とすることを特徴とするものである。
【００３５】
請求項２２に記載された発明は、請求項２０又は２１に記載された発明において、前記表面層を構成するフッ素樹脂が、四フッ化エチレン・パーフロロアルキルビニルエーテル共重合体樹脂（ＰＦＡ）であることを特徴とするものである。
【００３６】
請求項２３に記載された発明は、請求項２０〜２２に記載された発明において、前記表面層が導電性物質を含有していることを特徴とするものである。
【００３７】
請求項２４に記載された発明は、請求項２３に記載された発明において、前記導電性物質がカーボンであることを特徴とするものである。
【００３８】
請求項２５に記載された発明は、請求項２４に記載された発明において、前記カーボンのヨウ素吸着量が４３ｍｇ／ｇ以上であることを特徴とするものである。
【００３９】
請求項２６に記載された発明は、請求項１〜１９のいずれか１項に記載の転写定着装置を有することを特徴とする画像形成装置である。
【発明の効果】
【００４０】
請求項１に記載された発明によれば、（イ）前記転写定着ベルトが、モータで回転する支点、該支点を中心にして揺動可能としたＬ字状の揺動アームを構成する一方のアームの先端に固定した、中間転写ベルト上に形成された画像を該転写定着ベルトに転写圧接する、転写圧接ローラ、及び、該Ｌ字状の揺動アームを構成する他方のアームの先端に固定した定着ローラによって、回転可能に保持され、そして、（ロ）前記定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記Ｌ字状の揺動アームの先端に固定した転写圧接ローラ及び定着ローラに保持された転写定着ベルトを中間転写ベルト及び加圧部材から離反させるようにした転写定着ベルトの揺動制御部が設けられているので、記録媒体が定着ローラと加圧部材との間に形成されるニップを通過する時にジャムを起こして記録媒体の搬送が停止された際に、加熱源から予期しない過剰な熱が流入して発生する、転写定着ベルトの表面層の劣化、該転写定着ベルトの層間剥離、及び、該表面層へのトナーの圧接固着、並びに、中間転写ベルトの昇温による中間転写ベルト自体の転写性の低下、及び、像担持体の表面の劣化、を防止することにより、耐久性と信頼性とを向上させると共に、転写定着ベルトの接触点を減少させ、転写定着ベルトを熱的に独立させて、熱量を保存することにより、運転復帰時間を短縮させた転写定着装置を提供することができる。
【００４１】
請求項２に記載された発明によれば、前記転写定着ベルトの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記Ｌ字状の揺動アームの先端に固定した転写圧接ローラ及び定着ローラに保持された転写定着ベルトを中間転写ベルト及び加圧部材に所定の圧力で圧着させるようにしたものとなっているので、転写定着装置を自動的にかつスムースに定常運転に戻すことができる。
【００４２】
請求項３に記載された発明によれば、（イ）前記転写定着ベルトが、モータで回転する支点、該支点を中心にして揺動可能とした揺動アームの先端に固定した、中間転写ベルト上に形成された画像を該転写定着ベルトに転写圧接する、転写圧接ローラ、及び、転写定着装置本体に固定した定着ローラによって、回転可能に保持され、そして、（ロ）前記定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記揺動アームの先端に固定した転写圧接ローラに保持された転写定着ベルトを中間転写ベルトから離反させるようにした転写定着ベルトの揺動制御部が設けられているので、記録媒体が定着ローラと加圧部材との間に形成されるニップを通過する時にジャムを起こして記録媒体の搬送が停止された際に、加熱源から予期しない過剰な熱が流入して発生する、転写定着ベルトの表面層の劣化、該転写定着ベルトの層間剥離、及び、該表面層へのトナーの圧接固着、並びに、中間転写ベルトの昇温による中間転写ベルト自体の転写性の低下、及び、像担持体の表面の劣化、を防止することにより、耐久性と信頼性とを向上させると共に、転写定着ベルトの接触点を減少させ、転写定着ベルトを熱的に独立させて、熱量を保存することにより、運転復帰時間を短縮させた転写定着装置を提供することができる。
【００４３】
請求項４に記載された発明によれば、前記転写定着ベルトの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記揺動アームの先端に固定した転写圧接ローラに保持された転写定着ベルトを中間転写ベルトに所定の圧力で圧着させるようにしたものとなっているので、転写定着装置を自動的にかつ確実に定常運転に戻すことができる。
【００４４】
請求項５に記載された発明によれば、（イ）前記転写定着ベルトが、モータで回転する支点、該支点を中心にして揺動可能としたアームの先端に固定した定着ローラ、及び、転写定着装置本体に固定した、中間転写ベルト上に形成された画像を該転写定着ベルトに転写圧接する、転写圧接ローラによって、回転可能に保持され、そして、（ロ）前記定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記揺動アームの先端に固定した定着ローラに保持された転写定着ベルトを加圧部材から離反させるようにした転写定着ベルトの揺動制御部が設けられているので、記録媒体が定着ローラと加圧部材との間に形成されるニップを通過する時にジャムを起こして記録媒体の搬送が停止された際に、加熱源から予期しない過剰な熱が流入して発生する、転写定着ベルトの表面層の劣化、該転写定着ベルトの層間剥離、及び、該表面層へのトナーの圧接固着、並びに、中間転写ベルトの昇温による中間転写ベルト自体の転写性の低下、及び、像担持体の表面の劣化、を防止することにより、耐久性と信頼性とを向上させると共に、転写定着ベルトの接触点を減少させ、転写定着ベルトを熱的に独立させて、熱量を保存することにより、運転復帰時間を短縮させた転写定着装置を提供することができる。
【００４５】
請求項６に記載された発明によれば、前記転写定着ベルトの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、該記録媒体のジャムの除去を検出すると共に、このジャムの除去の検出に基づいて、前記モータを逆回転させて前記揺動アームの先端に固定した定着ローラに保持された転写定着ベルトを加圧部材に所定の圧力で圧着させるようにしたものとなっているので、転写定着装置を自動的にかつ確実に定常運転に戻すことができる。
【００４６】
請求項７に記載された発明によれば、前記定着ローラ及び／又は支点が加熱源を有しているので、転写定着ベルトを均一に加熱することができる。
【００４７】
請求項８に記載された発明によれば、前記転写定着ベルトが前記加圧部材に対して主駆動部材とされているので、画像ズレを防止することができ、そのために、定着画像を高画質化することができる。
【００４８】
請求項９に記載された発明によれば、前記転写定着ベルト及び前記加圧部材の少なくとも一方が弾性層を有し、そして、前記転写定着ベルト及び前記加圧部材の弾性層の厚みの総和が、記録媒体の厚みの２倍以上の大きさを有するので、画像ズレを防止することができ、そのために、定着画像を高画質化することができる。
【００４９】
請求項１０，１１に記載された発明によれば、前記転写定着ベルト及び前記加圧部材の少なくとも一方の表面層が、フッ素樹脂を主体とする材料で構成されるので、強度及び平滑性を向上させることができると共に、該表面層に含有される充填剤によって該表面層の表面性及び離型性が低下することを防止することができ、しかも、記録媒体（記録紙）が通過することによって発生する紙粉、両面コピーが通過することにより発生する定着トナー、及び、定着装置内において飛散トナーが、それぞれ、該表面層に付着することをも防止することができ、それらのために、転写定着装置を高耐久化することができると共に、定着画像を高画質化することができる。
【００５０】
請求項１２〜１４に記載された発明によれば、前記表面層が導電性物質を含有しているので、該表面層の耐摩耗性を向上させることができると共に、該表面層の帯電を防止して転写定着装置内に飛散するトナーが該表面層に静電付着することを低減することができ、それらのために、転写定着装置を高耐久化することができると共に、定着画像を高画質化することができる。
【００５１】
請求項１５に記載された発明によれば、（イ）前記転写定着ローラが、モータで回転する支点を中心にして揺動可能とした揺動アームの先端に回転可能に保持され、そして、（ロ）前記転写定着ローラと前記加圧部材との間に形成されるニップの入口及び出口の少なくとも一方に設けられた記録媒体のジャム検出手段で検知した信号に基づいて該記録媒体のジャムの発生を検出すると共に、この記録媒体のジャムの検出に基づいて、前記モータを回転させて前記揺動アームの先端に回転可能に保持された転写定着ローラを加圧部材から離反させるようにした転写定着ローラの揺動制御部が設けられているので、記録媒体が転写定着ローラと加圧部材との間に形成されるニップを通過する時にジャムを起こして記録媒体の搬送が停止された際に、加熱源から予期しない過剰な熱が流入して発生する、転写定着ローラの表面層の劣化、及び、該表面層へのトナーの圧接固着、並びに、中間転写ベルトの昇温による中間転写ベルト自体の転写性の低下、及び、像担持体の表面の劣化、を防止することにより、耐久性と信頼性とを向上させると共に、転写定着ローラの接触点を減少させ、転写定着ローラを熱的に独立させて、熱量を保存することにより、運転復帰時間を短縮させた転写定着装置を提供することができる。
【００５２】
請求項１６に記載された発明によれば、前記転写定着ローラの揺動制御部が、さらに、前記ニップの入口及び出口の少なくとも一方に設けられた記録媒体のジャム検出手段で検知した信号に基づいて該記録媒体のジャムの除去を検出すると共に、このジャムの除去の検出に基づいて、前記モータを逆回転させて前記揺動アームの先端に回転可能に保持された転写定着ローラを加圧部材に所定の圧力で圧着させるようにしたものとなっているので、転写定着装置を自動的にかつ確実に定常運転に戻すことができる。
【００５３】
請求項１７に記載された発明によれば、前記転写定着ローラに加熱源を有しているので、転写定着ローラを加熱することができる。
【００５４】
請求項１８に記載された発明によれば、前記転写定着ローラを前記加圧部材に対して主駆動部材としたので、画像ズレを防止することができ、そのために、定着画像を高画質化することができる。
【００５５】
請求項１９に記載された発明によれば、前記転写定着ローラ及び前記加圧部材の少なくとも一方が弾性層を有し、そして、前記転写定着ローラ及び前記加圧部材の弾性層の厚みの総和が記録媒体の厚みの２倍以上の大きさを有しているので、画像ズレを防止することができ、そのために、定着画像を高画質化することができる。
【００５６】
請求項２０、２１に記載された発明によれば、基体、該基体上に耐熱性合成ゴムで構成する弾性層、及び、フッ素樹脂で構成する表面層を順次有する転写定着部材において、前記表面層を構成するフッ素樹脂の融点が、前記弾性層を構成する耐熱性合成ゴムの酸化開始温度よりも２０℃以上低いものとし、且つ、前記表面層が、前記フッ素樹脂の融点以上の温度であって前記弾性層を構成する耐熱性合成ゴムの酸化開始温度を超えない焼成温度で焼成されたものであるので、弾性層を構成する耐熱性ゴムの劣化による弾性層におけるクラックの発生を防止することができ、そのために、画像汚れ、表面不均一による画像定着不良、等の不具合の発生を防止することができると共に、記録媒体の巻きつきを防止することができる。また、該表面層に含有される充填剤によって該表面層の表面性及び離型性が低下することを防止することができ、しかも、記録媒体（記録紙）が通過することによって発生する紙粉、両面コピーが通過することにより発生する定着トナー、及び、定着装置内において飛散トナーが、それぞれ、該表面層に付着することをも防止することができ、それらのために、転写定着装置を高耐久化することができると共に、定着画像を高画質化することができる。
【００５７】
請求項２２に記載された発明によれば、前記表面層を構成するフッ素樹脂が、四フッ化エチレン・パーフロロアルキルビニルエーテル共重合体樹脂（ＰＦＡ）であるので、該表面層に含有される充填剤によって該表面層の表面性及び離型性が低下することを防止することができ、しかも、記録媒体（記録紙）が通過することによって発生する紙粉、両面コピーが通過することにより発生する定着トナー、及び、転写定着装置内において飛散トナーが、それぞれ、該表面層に付着することをも防止することができ、それらのために、転写定着装置を高耐久化することができると共に、定着画像を高画質化することができる。
【００５８】
請求項２３〜２５に記載された発明によれば、前記表面層が導電性物質を含有しているので、該表面層の耐摩耗性を向上させることができると共に、該表面層の帯電を防止して定着装置内に飛散するトナーが該表面層に静電付着することを低減することができ、それらのために、転写定着装置を高耐久化することができると共に、定着画像を高画質化することができる。
【００５９】
請求項１〜２０のいずれか１項に記載の転写定着装置を有しているので、耐久性と信頼性とを向上させると共に、環境付加を低減し、しかも、定着画像を高画質化することができる。
【発明を実施するための最良の形態】
【００６０】
次に、本発明の実施の形態を図面に基づいて説明する。図１は、本発明の一実施の形態を示す転写定着装置の説明図であって、（ａ）は、定常運転している状態を示し、そして、（ｂ）は、転写定着ベルトを中間転写ベルト及び加圧部材から離反させた状態を示す。図２は、本発明の他の一実施の形態を示す転写定着装置の説明図であって、（ａ）は、定常運転している状態を示し、そして、（ｂ）は、転写定着ベルトを中間転写ベルト及び加圧部材から離反させた状態を示す。図３は、本発明の他の一実施の形態を示す転写定着装置の説明図であって、（ａ）は、定常運転している状態を示し、そして、（ｂ）は、転写定着ベルトを中間転写ベルト及び加圧部材から離反させた状態を示す。図４は、本発明の他の一実施の形態を示す転写定着装置の説明図であって、（ａ）は、定常運転している状態を示し、そして、（ｂ）は、転写定着ローラを中間転写ベルト及び加圧部材から離反させた状態を示す。図５は、本発明の一実施の形態を示す転写定着部材（転写定着定着ベルト）であって、（ａ）は、横断面図であり、そして、（ｂ）は、一部拡大縦断面図である。図６は、本発明の一実施の形態を示す転写定着部材（転写定着定着ローラ）の横断面図である。
【００６１】
図１において、２０は、転写定着装置である。転写定着装置２０は、中間転写ベルト１と、該中間転写ベルト１上に形成された画像を記録媒体２０７上に転写して定着する転写定着ベルト２と、該転写定着ベルト２上に転写された画像を該記録媒体２０７上に定着する定着ローラ５と、該転写定着ベルト２を介して該定着ローラ５に当接することによりニップを形成する加圧部材９と、を設けて、該ニップを通過する該記録媒体２０７上に画像を加圧して定着させるようにされている。この転写定着装置２０には、（イ）前記転写定着ベルト２が、モータ７で回転する支点３、該支点３を中心にして揺動可能としたＬ字状の揺動アーム６を構成する一方のアーム６ａの先端に固定した、中間転写ベルト１上に形成された画像を該転写定着ベルト２に転写圧接する、転写圧接ローラ４、及び、該Ｌ字状の揺動アーム６を構成する他方のアーム６ｂの先端に固定した定着ローラ５によって、回転可能に保持され、そして、（ロ）前記定着ローラ５と前記加圧部材９との間に形成されるニップの入口及び出口の少なくとも一方に設けられた記録媒体のジャム検出手段（１０、１１）で検知した信号に基づいて該記録媒体２０７のジャムＪの発生を検出すると共に、この記録媒体２０７のジャムＪの検出に基づいて、前記モータ７を回転させて前記Ｌ字状の揺動アーム６の先端に固定した転写圧接ローラ４及び定着ローラ５に保持された転写定着ベルト２を中間転写ベルト１及び加圧部材９から離反させるようにした転写定着ベルト２の揺動制御部１２が設けられている。図１において、８は、ギヤであり、そして、２０１は、像担持体である。
【００６２】
このように、（イ）前記転写定着ベルト２が、モータ７で回転する支点３、該支点３を中心にして揺動可能としたＬ字状の揺動アーム６を構成する一方のアーム６ａの先端に固定した、中間転写ベルト１上に形成された画像を該転写定着ベルト２に転写圧接する、転写圧接ローラ４、及び、該Ｌ字状の揺動アーム６を構成する他方のアーム６ｂの先端に固定した定着ローラ５によって、回転可能に保持され、そして、（ロ）前記定着ローラ５と前記加圧部材９との間に形成されるニップの入口及び出口の少なくとも一方に設けられた記録媒体のジャム検出手段（１０、１１）で検知した信号に基づいて該記録媒体２０７のジャムＪの発生を検出すると共に、この記録媒体２０７のジャムＪの検出に基づいて、前記モータ７を回転させて前記Ｌ字状の揺動アーム６の先端に固定した転写圧接ローラ４及び定着ローラ５に保持された転写定着ベルト２を中間転写ベルト１及び加圧部材９から離反させるようにした転写定着ベルト２の揺動制御部１２が設けられていると、記録媒体２０７が定着ローラと加圧部材との間に形成されるニップを通過する時にジャムＪを起こして記録媒体２０７の搬送が停止された際に、加熱源から予期しない過剰な熱が流入して発生する、転写定着ベルト２の表面層の劣化、該転写定着ベルト２の層間剥離、及び、該表面層へのトナーの圧接固着、並びに、中間転写ベルト１の昇温による中間転写ベルト１自体の転写性の低下、及び、像担持体２０１の表面の劣化、を防止することにより、耐久性と信頼性とを向上させると共に、転写定着ベルト２の接触点を減少させ、転写定着ベルトを熱的に独立させて、熱量を保存することにより、運転復帰時間を短縮させた転写定着装置を提供することができる。
【００６３】
本発明の転写定着装置２０における転写定着ベルト２の離反機構について以下に具体的に説明する。図１（ｂ）に示されているように、記録媒体２０７がニップ部を通過する際に、ジャムＪが発生した場合、モータ７が所定の量だけ正回転し、その駆動がギヤ８を介して支点３に伝わり、そして、該転写定着ベルトが矢印に示す方向へ移動して、前記Ｌ字状の揺動アーム６の先端に固定した転写圧接ローラ４及び定着ローラ５に保持された転写定着ベルト２が中間転写ベルト１及び加圧部材９から同時に離反する。転写定着ベルト２を中間転写ベルト１及び加圧部材９から離反させるためにモータ７を可動させる信号を得るには、ジャム検出手段として、例えば、前記定着ローラ５と前記加圧部材９との間に形成されるニップの入口及び出口にそれぞれセンサ１０及びセンサ１１が設けられる。記録媒体２０７は、このセンサ１０及びセンサ１１で順次検知されるが、ジャムＪの検出は、所定時間ＯＮ/ＯＦＦが繰り返される情報に基づき記録媒体が滞りなく搬送されているか否かを検知することによってなされる。記録媒体２０７の搬送がジャムＪにより停止され、センサ１０及びセンサ１１のＯＮ／ＯＦＦ情報間隔に異常が認められた場合に、直ちに、モータ７を正回転させてその駆動をギア８を介して支点３に回転を伝達させることにより、転写定着ベルト２を中間転写ベルト１及び加圧部材９から離反させる。モータ７を支点に直結して、モータ７の駆動を直接支点３に伝えてもかまわない。特に、図１に示した支点３を中心に回転運動をおこなうことによる同時離反機構は、簡便な機構で効果が大きい。また、ジャムＪがニップ部で発生した場合、転写定着ベルト２、及び、加圧部材９の表面を傷つけることなく、ジャム紙を取り除くことが可能となる。図１においては、加圧部材９として、加圧ローラが示されているが、本発明においては、加圧ベルトであってもかまわない。
【００６４】
本発明の転写定着装置２０においては、前記転写定着ベルト２の揺動制御部１２は、さらに、前記ニップの入口及び出口の少なくとも一方に設けられた記録媒体２０７のジャム検出手段（センサ１０，センサ１１）で検知した信号に基づいて該記録媒体２０７のジャムＪの除去を検出すると共に、このジャムＪの除去の検出に基づいて、前記モータ７を逆回転させて前記Ｌ字状の揺動アーム６の先端に固定した転写圧接ローラ４及び定着ローラ５に保持された転写定着ベルト２を中間転写ベルト１及び加圧部材９に所定の圧力で圧着させるようにしたものとなっている。このように、前記転写定着ベルト２の揺動制御部１２が、さらに、前記ニップの入口及び出口の少なくとも一方に設けられた記録媒体２０７のジャム検出手段（センサ１０，センサ１１）で検知した信号に基づいて該記録媒体２０７のジャムＪの除去を検出すると共に、このジャムＪの除去の検出に基づいて、前記モータ７を逆回転させて前記Ｌ字状の揺動アーム６の先端に固定した転写圧接ローラ４及び定着ローラ５に保持された転写定着ベルト２を中間転写ベルト１及び加圧部材９に所定の圧力で圧着させるようにしたものとなっていると、転写定着装置２０を自動的にかつスムースに定常運転に戻すことができる。
【００６５】
図２において、３０は、転写定着装置である。転写定着装置３０は、図２に示すように、（イ）前記転写定着ベルト２が、モータ７で回転する支点３、該支点３を中心にして揺動可能とした揺動アーム６の先端に固定した、中間転写ベルト１上に形成された画像を該転写定着ベルト２に転写圧接する、転写圧接ローラ４、及び、転写定着装置３０の本体に固定した定着ローラ５によって、回転可能に保持され、そして、（ロ）前記定着ローラ５と前記加圧部材９との間に形成されるニップの入口及び出口の少なくとも一方に設けられた記録媒体２０７のジャム検出手段（センサ１０，センサ１１）で検知した信号に基づいて該記録媒体２０７のジャムＪの発生を検出すると共に、この記録媒体２０７のジャムＪの検出に基づいて、前記モータ７を回転させて前記揺動アーム６の先端に固定した転写圧接ローラ４に保持された転写定着ベルト２を中間転写ベルト１から離反させるようにした転写定着ベルト２の揺動制御部１２が設けられている以外は、転写定着装置２０と同様の構成を有している。
【００６６】
このように、（イ）前記転写定着ベルト２が、モータ７で回転する支点３、該支点３を中心にして揺動可能とした揺動アーム６の先端に固定した、中間転写ベルト１上に形成された画像を該転写定着ベルト２に転写圧接する、転写圧接ローラ４、及び、転写定着装置３０の本体に固定した定着ローラ５によって、回転可能に保持され、そして、（ロ）前記定着ローラ５と前記加圧部材９との間に形成されるニップの入口及び出口の少なくとも一方に設けられた記録媒体２０７のジャム検出手段（センサ１０，センサ１１）で検知した信号に基づいて該記録媒体２０７のジャムＪの発生を検出すると共に、この記録媒体２０７のジャムＪの検出に基づいて、前記モータ７を回転させて前記揺動アーム６の先端に固定した転写圧接ローラ４に保持された転写定着ベルト２を中間転写ベルト１から離反させるようにした転写定着ベルト２の揺動制御部１２が設けられていると、記録媒体２０７が定着ローラ５と加圧部材９との間に形成されるニップを通過する時にジャムＪを起こして記録媒体２０７の搬送が停止された際に、加熱源から予期しない過剰な熱が流入して発生する、転写定着ベルト２の表面層の劣化、該転写定着ベルト２の層間剥離、及び、該表面層へのトナーの圧接固着、並びに、中間転写ベルト１の昇温による中間転写ベルト１自体の転写性の低下、及び、像担持体２０１の表面の劣化、を防止することにより、耐久性と信頼性とを向上させると共に、転写定着ベルト２の接触点を減少させ、転写定着ベルトを熱的に独立させて、熱量を保存することにより、運転復帰時間を短縮させた転写定着装置３０を提供することができる。
【００６７】
本発明の転写定着装置３０における転写定着ベルト２の離反機構についての具体的な説明は、前記転写定着装置２０における転写定着ベルト２の離反機構についての具体的な説明と同様である。
【００６８】
本発明の転写定着装置３０においては、前記転写定着ベルト２の揺動制御部１２が、さらに、前記ニップの入口及び出口の少なくとも一方に設けられた記録媒体２０７のジャム検出手段（センサ１０，センサ１１）で検知した信号に基づいて該記録媒体２０７のジャムＪの除去を検出すると共に、このジャムＪの除去の検出に基づいて、前記モータ７を逆回転させて前記揺動アーム６の先端に固定した転写圧接ローラ４に保持された転写定着ベルト２を中間転写ベルト１に所定の圧力で圧着させるようにしたものとなっている。このように、前記転写定着ベルト２の揺動制御部１２が、さらに、前記ニップの入口及び出口の少なくとも一方に設けられた記録媒体２０７のジャム検出手段（センサ１０，センサ１１）で検知した信号に基づいて該記録媒体２０７のジャムＪの除去を検出すると共に、このジャムＪの除去の検出に基づいて、前記モータ７を逆回転させて前記揺動アーム６の先端に固定した転写圧接ローラ４に保持された転写定着ベルト２を中間転写ベルト１及び加圧部材９に所定の圧力で圧着させるようにしたものとなっていると、転写定着装置３０を自動的にかつ確実に定常運転に戻すことができる。
【００６９】
図３において、４０は、転写定着装置である。転写定着装置４０は、図３に示すように、（イ）前記転写定着ベルト２が、モータ７で回転する支点３、該支点３を中心にして揺動可能とした揺動アーム６の先端に固定した定着ローラ５、及び、転写定着装置４０の本体に固定した、中間転写ベルト１上に形成された画像を該転写定着ベルト２に転写圧接する、転写圧接ローラ４によって、回転可能に保持され、そして、（ロ）前記定着ローラ５と前記加圧部材９との間に形成されるニップの入口及び出口の少なくとも一方に設けられた記録媒体２０７のジャム検出手段（センサ１０，センサ１１）で検知した信号に基づいて該記録媒体２０７のジャムＪの発生を検出すると共に、この記録媒体２０７のジャムＪの検出に基づいて、前記モータ７を回転させて前記揺動アーム６の先端に固定した定着ローラ５に保持された転写定着ベルト２を加圧部材９から離反させるようにした転写定着ベルト２の揺動制御部１２が設けられている以外は、転写定着装置２０と同様の構成を有している。
【００７０】
このように、（イ）前記転写定着ベルト２が、モータ７で回転する支点３、該支点３を中心にして揺動可能とした揺動アーム６の先端に固定した定着ローラ５、及び、転写定着装置４０の本体に固定した、中間転写ベルト１上に形成された画像を該転写定着ベルト２に転写圧接する、転写圧接ローラ４によって、回転可能に保持され、そして、（ロ）前記定着ローラ５と前記加圧部材９との間に形成されるニップの入口及び出口の少なくとも一方に設けられた記録媒体２０７のジャム検出手段（センサ１０，センサ１１）で検知した信号に基づいて該記録媒体２０７のジャムＪの発生を検出すると共に、この記録媒体２０７のジャムＪの検出に基づいて、前記モータ７を回転させて前記揺動アーム６の先端に固定した定着ローラ５に保持された転写定着ベルト２を加圧部材９から離反させるようにした転写定着ベルト２の揺動制御部１２が設けられていると、記録媒体２０７が定着ローラ５と加圧部材９との間に形成されるニップを通過する時にジャムＪを起こして記録媒体２０７の搬送が停止された際に、加熱源から予期しない過剰な熱が流入して発生する、転写定着ベルト２の表面層の劣化、該転写定着ベルト２の層間剥離、及び、該表面層へのトナーの圧接固着、並びに、中間転写ベルト１の昇温による中間転写ベルト１自体の転写性の低下、及び、像担持体２０１の表面の劣化、を防止することにより、耐久性と信頼性とを向上させると共に、転写定着ベルト２の接触点を減少させ、転写定着ベルト２を熱的に独立させて、熱量を保存することにより、運転復帰時間を短縮させた転写定着装置４０を提供することができる。
【００７１】
本発明の転写定着装置４０における転写定着ベルト２の離反機構についての具体的な説明は、前記転写定着装置２０における転写定着ベルト２の離反機構についての具体的な説明と同様である。
【００７２】
本発明の転写定着装置４０においては、前記転写定着ベルト２の揺動制御部１２が、さらに、前記ニップの入口及び出口の少なくとも一方に設けられた記録媒体２０７のジャム検出手段（センサ１０，センサ１１）で検知した信号に基づいて該記録媒体２０７のジャムＪの除去を検出すると共に、このジャムＪの除去の検出に基づいて、前記モータ７を逆回転させて前記揺動アーム６の先端に固定した定着ローラ５に保持された転写定着ベルト２を中間転写ベルト１及び加圧部材９に所定の圧力で圧着させるようにしたものとなっている。このように、前記転写定着ベルト２の揺動制御部１２が、さらに、前記ニップの入口及び出口の少なくとも一方に設けられた記録媒体２０７のジャム検出手段（センサ１０，センサ１１）で検知した信号に基づいて該記録媒体２０７のジャムＪの除去を検出すると共に、このジャムＪの除去の検出に基づいて、前記モータ７を逆回転させて前記揺動アーム６の先端に固定した定着ローラ５に保持された転写定着ベルト２を加圧部材９に所定の圧力で圧着させるようにしたものとなっていると、転写定着装置４０を自動的にかつ確実に定常運転に戻すことができる。
【００７３】
本発明の転写定着装置２０，３０，４０においては、前記定着ローラ５及び／又は支点３が加熱源を有している。このように、前記定着ローラ５及び／又は支点３が加熱源を有していると、転写定着ベルトを均一に加熱することができる。
【００７４】
本発明の転写定着装置２０，３０，４０においては、前記転写定着ベルト２が前記加圧部材９に対して主駆動部材とされている。加圧部材９が主駆動され且つ転写定着ベルト２が従動の場合には、記録媒体２０７の突入により、加圧部材９側の駆動半径が記録媒体２０７の厚み分だけ増加するので、線速変動によりやはり画像ズレが発生する。加圧部材９の径が記録媒体２０７の厚みに比べ十分に大きな場合には、この画像ズレは小さいが、転写定着ベルト２が駆動されている場合（非従動）、このような問題は発生しない。このように、前記転写定着ベルト２が前記加圧部材９に対して主駆動部材とされていると、画像ズレを防止することができ、そのために、定着画像を高画質化することができる。
【００７５】
定着ニップ部の記録媒体進入時の衝撃による転写部の画像ズレを防ぐには、定着部における転写定着部材２及び加圧部材９の弾性層の厚みの総和は、少なくとも記録媒体２０７の厚み以上であり、好ましくは、その２倍以上であることが求められる。これは、弾性層の厚みが記録媒体厚の２倍以上であれば、段差によるずれが目視で確認できないことを様々な画像形成装置で確認した本発明者らの実験則に基づく結論である。人間が顕著に画像のずれを認識するのは視覚のＭＴＦ特性（ＶＴＦ）から空間周波数では１０ｃｙｃｌｅ／ｍｍ（２５４ｄｐｉ、１００μｍピッチ）以上であり（参考文献：電子写真の基礎と応用、編者電子写真学会、昭和６３年６月１５日初版、ｐ．７１７、７１８）、１００μｍ以上のずれは大きな問題となる。さらに、通紙方向の解像度が６００ｄｐｉの高解像度な画像形成装置で写真のような高精細な画像を形成した場合、ドット間隔は４２．３μｍであり、これ以上ずれてしまうとドットが重なり、不快な画像となってしまう。
【００７６】
また、１２００ｄｐｉではドット間隔は２１．２μｍとなるが、この際のドット重なりは先に述べたＶＴＦの境目２５４ｄｐｉ（１００μｍピッチ）から約１／５と十分に小さいために、視覚的には認識は困難である。実際に電子写真で主に用いられる記録媒体厚は６０〜１００μｍ程度であり、またゴム硬度が５から９０の弾性層はその厚みの３０％程度は瞬間的に容易に圧縮される。従って、記録媒体突入時の段差ずれが最大となるニップに進入する方向と転写定着ベルト２と中間転写体１の共通の接線のなす角度θが９０°の場合でも、弾性層厚みが記録媒体厚の２倍の場合、１２０〜２００μｍ以上あれば画像ズレを２４（＝６０−１２０×０．３）〜４０（＝１００−２００×０．３）μｍと、４２．３μｍ以下に低減できることが説明される。これらを実験式としてまとめると、次の式
画像ズレ＝記録媒体厚による定着部段差×｜ｓｉｎθ｜＜４２．３μｍ（好ましい）＜１００μｍ（必須）
（ここで、記録媒体厚による定着部段差＝記録媒体厚−弾性層厚さ×０．３とする。）となる。
【００７７】
したがって、本発明の転写定着装置２０，３０，４０においては、前記転写定着ベルト２及び前記加圧部材９の少なくとも一方が弾性層を有し、そして、前記転写定着ベルト２及び前記加圧部材９の弾性層の厚みの総和が、記録媒体の厚みの２倍以上の大きさを有している。このように、前記転写定着ベルト２及び前記加圧部材９の少なくとも一方が弾性層を有し、そして、前記転写定着ベルト２及び前記加圧部材９の弾性層の厚みの総和が、記録媒体の厚みの２倍以上の大きさを有していると、画像ズレを防止することができ、そのために、定着画像を高画質化することができる。
【００７８】
本発明の転写定着装置２０，３０，４０においては、前記転写定着ベルト２及び前記加圧部材９の少なくとも一方の表面層は、好ましくは、フッ素樹脂を主体とする材料で構成される。この表面層を構成するフッ素樹脂は、四フッ化エチレン・パーフロロアルキルビニルエーテル共重合体樹脂（ＰＦＡ）である。このように、前記転写定着ベルト２及び前記加圧部材９の少なくとも一方の表面層が、フッ素樹脂を主体とする材料で構成されると、該表面層に含有される充填剤によって該表面層の表面性及び離型性が低下することを防止することができ、しかも、記録媒体（記録紙）２０７が通過することによって発生する紙粉、両面コピーが通過することにより発生する定着トナー、及び、定着装置内において飛散トナーが、それぞれ、該表面層に付着することをも防止することができ、それらのために、転写定着装置２０，３０，４０を高耐久化することができると共に、定着画像を高画質化することができる。
【００７９】
本発明の転写定着装置２０，３０，４０においては、前記表面層は導電性物質を含有している。この導電性物質は、好ましくは、カーボンである。そして、このカーボンのヨウ素吸着量は、好ましくは、４３ｍｇ／ｇ以上である。このように、該表面層の耐摩耗性を向上させることができると共に、該表面層の帯電を防止して転写定着装置内に飛散するトナーが該表面層に静電付着することを低減することができ、それらのために、転写定着装置を高耐久化することができると共に、定着画像を高画質化することができる。
【００８０】
図４において、５０は、転写定着装置である。転写定着装置５０は、中間転写ベルト１と、該中間転写ベルト１上に形成された画像を記録媒体２０７上に転写して定着する転写定着ローラ１３と、該転写定着ローラに当接することによりニップを形成する加圧部材９と、を設けて、該ニップを通過する該記録媒体２０７上に画像を加圧して定着させるようにされている。この転写定着装置５０には、（イ）前記転写定着ローラ１３が、モータ７で回転する支点３を中心にして揺動可能とした揺動アーム６の先端に回転可能に保持され、そして、（ロ）前記転写定着ローラ１３と前記加圧部材９との間に形成されるニップの入口及び出口の少なくとも一方に設けられた記録媒体２０７のジャム検出手段（センサ１０，センサ１１）で検知した信号に基づいて該記録媒体２０７のジャムＪの発生を検出すると共に、この記録媒体２０７のジャムＪの検出に基づいて、前記モータ７を回転させて前記揺動アーム６の先端に回転可能に保持された転写定着ローラ１３を加圧部材９から離反させるようにした転写定着ローラ１３の揺動制御部１２が設けられている。
【００８１】
このように、（イ）前記転写定着ローラ１３が、モータ７で回転する支点３を中心にして揺動可能とした揺動アーム６の先端に回転可能に保持され、そして、（ロ）前記転写定着ローラ１３と前記加圧部材９との間に形成されるニップの入口及び出口の少なくとも一方に設けられた記録媒体２０７のジャム検出手段（センサ１０，センサ１１）で検知した信号に基づいて該記録媒体２０７のジャムＪの発生を検出すると共に、この記録媒体２０７のジャムＪの検出に基づいて、前記モータ７を回転させて前記揺動アーム６の先端に回転可能に保持された転写定着ローラ１３を加圧部材９から離反させるようにした転写定着ローラ１３の揺動制御部１２が設けられていると、記録媒体２０７が転写定着ローラ１３と加圧部材９との間に形成されるニップを通過する時にジャムＪを起こして記録媒体２０７の搬送が停止された際に、加熱源から予期しない過剰な熱が流入して発生する、転写定着ローラ１３の表面層の劣化、及び、該表面層へのトナーの圧接固着、並びに、中間転写ベルト１の昇温による中間転写ベルト１自体の転写性の低下、及び、像担持体２０１の表面の劣化、を防止することにより、耐久性と信頼性とを向上させると共に、転写定着ローラ１３の接触点を減少させ、転写定着ローラ１３を熱的に独立させて、熱量を保存することにより、運転復帰時間を短縮させた転写定着装置５０を提供することができる。
【００８２】
本発明の転写定着装置５０における転写定着ベルト２の離反機構についての具体的な説明は、前記転写定着装置２０における転写定着ベルト２の離反機構についての具体的な説明と同様である。
【００８３】
本発明の転写定着装置５０においては、前記転写定着ローラ１３の揺動制御部１２が、さらに、前記ニップの入口及び出口の少なくとも一方に設けられた記録媒体２０７のジャム検出手段（センサ１０，センサ１１）で検知した信号に基づいて該記録媒体２０７のジャムＪの除去を検出すると共に、このジャムＪの除去の検出に基づいて、前記モータ７を逆回転させて前記揺動アーム６の先端に回転可能に保持された転写定着ローラ１３を加圧部材９に所定の圧力で圧着させるようにしたものとなっているので、転写定着装置５０を自動的にかつ確実に定常運転に戻すことができる。
【００８４】
本発明の転写定着装置５０においては、前記転写定着ローラ１３が加熱源を有している。このように、前記転写定着ローラ１３が加熱源を有していると、転写定着ローラ１３を均一に加熱することができる。
【００８５】
本発明においては、転写定着ローラ１３及び加圧部材９の双方を駆動する構成としてもよい。この際の画像ズレは、加圧部材９の弾性層の厚みがゼロの場合が最も厳しく、次の式
画像ズレ＝転写定着部材の線速×記録媒体厚／加圧部材の定着ニップ部半径×転写ニップ時間＝転写ニップ幅×記録媒体厚／加圧部材の定着ニップ部半径＜４２．３μｍ（好ましい）＜１００μｍ（必須）
（但し、転写ニップ幅＝転写定着部材の線速×転写ニップ時間とする。）
で示される。
【００８６】
この式によれば、転写ニップ幅を１０ｍｍ以下とすると、加圧部材９の定着ニップ部半径が２０ｍｍであれば、そのずれは、記録媒体の厚み１００μｍ（０．１ｍｍ）で５０μｍ以下となる。また、転写ニップ幅を５ｍｍ以下とすると、加圧部材の定着ニップ部半径が２０ｍｍであれば、そのずれは、記録媒体の厚み１００μｍ（０．１ｍｍ）で２５μｍ以下となる。そのために、転写ニップ幅が小さいことが有利である。また、転写ニップ幅は、中間転写体１などの転写部材の温度上昇の原因である点からも小さいほどよい。記録媒体の記録媒体厚を約０．１ｍｍとすると、６００ｄｐｉの画像ズレを４２．３μｍ以下とするには、次の式、
画像ズレ＝転写ニップ幅／加圧部材の定着ニップ部半径≦０．４２３
が条件となる。
【００８７】
したがって、本発明の転写定着装置５０においては、前記転写定着ローラ１３が前記加圧部材９に対して主駆動部材とされている。このように、前記転写定着ローラ１３が前記加圧部材９に対して主駆動部材とされていると、画像ズレを防止することができ、そのために、定着画像を高画質化することができる。
【００８８】
本発明の転写定着装置５０においては、前記転写定着ローラ１３及び前記加圧部材９の少なくとも一方が弾性層を有し、そして、前記転写定着ローラ１３及び前記加圧部材９の弾性層の厚みの総和が、記録媒体の厚みの２倍以上の大きさを有している。このように、前記転写定着ローラ１３及び前記加圧部材９の少なくとも一方が弾性層を有し、そして、前記転写定着ローラ１３及び前記加圧部材９の弾性層の厚みの総和が、記録媒体の厚みの２倍以上の大きさを有していると、画像ズレを防止することができ、そのために、定着画像を高画質化することができる。
【００８９】
図５に示されているように、本発明の一実施の形態を示す転写定着部材（転写定着ベルト）１１０は、基体１０１、該基体１０１上に耐熱性合成ゴムで構成する弾性層１０２、及び、フッ素樹脂で構成する表面層１０３を順次有している。そして、前記表面層１０３を構成するフッ素樹脂の融点は、前記弾性層１０２を構成する耐熱性合成ゴムの酸化開始温度よりも２０℃以上低いものとし、且つ、前記表面層１０３が、前記フッ素樹脂の融点以上の温度であって前記弾性層１０２を構成する耐熱性合成ゴムの酸化開始温度を超えない焼成温度で焼成されたものとされている。前記弾性層１０２を構成する耐熱性ゴムは、好ましくは、シリコーンゴム又はフロロシリコーンゴムを主成分とするものである。また、図６に示されているように、本発明の他の一実施の形態を示す転写定着部材（転写定着ローラ）１２０は、基体１１１、該基体１１１上に耐熱性合成ゴムで構成する弾性層１１２、及び、フッ素樹脂で構成する表面層１１３を順次有している。そして、前記表面層１１３を構成するフッ素樹脂の融点は、前記弾性層１１２を構成する耐熱性合成ゴムの酸化開始温度よりも２０℃以上低いものとし、且つ、前記表面層１１３が、前記フッ素樹脂の融点以上の温度であって前記弾性層１１２を構成する耐熱性合成ゴムの酸化開始温度を超えない焼成温度で焼成されたものとされている。前記弾性層１１２を構成する耐熱性ゴムは、好ましくは、シリコーンゴム又はフロロシリコーンゴムを主成分とするものである。
【００９０】
このように、基体１０１，１１１、該基体１０１，１１１上に耐熱性合成ゴムで構成する弾性層１０２，１１２、及び、フッ素樹脂で構成する表面層１０３，１１３を順次有する転写定着部材（転写定着ベルト、転写定着ローラ）１１０，１２０おいて、前記表面層１０３，１１３を構成するフッ素樹脂の融点は、前記弾性層１０２，１１２を構成する耐熱性合成ゴムの酸化開始温度よりも２０℃以上低いものとし、且つ、前記表面層１０３，１１３が、前記フッ素樹脂の融点以上の温度であって前記弾性層１０２，１１２を構成する耐熱性合成ゴムの酸化開始温度を超えない焼成温度で焼成されたものとされていると、弾性層１０２，１１２を構成する耐熱性ゴムの劣化による弾性層１０２，１１２におけるクラックの発生を防止することができ、そのために、画像汚れ、表面不均一による画像定着不良、等の不具合の発生を防止することができると共に、記録媒体の巻きつきを防止することができる。また、該表面層１０３，１１３に含有される導電性物質１０３ａによって該表面層１０３，１１３の表面性及び離型性が低下することを防止することができ、しかも、記録媒体（記録紙）が通過することによって発生する紙粉、両面コピーが通過することにより発生する定着トナー、及び、転写定着装置内において飛散トナーが、それぞれ、該表面層１０３，１１３に付着することをも防止することができ、それらのために、転写定着装置を高耐久化することができると共に、定着画像を高画質化することができる。なお、図６においては、導電性物質が図示されていない。
【００９１】
表面層１０３、１１３は、四フッ化エチレン樹脂（ＰＴＦＥ）、四フッ化エチレン・パーフロロアルキルビニルエーテル共重合体樹脂（ＰＦＡ）、四フッ化エチレン・六フッ化プロピレン共重合体樹脂（ＦＥＰ）等フッ素系樹脂、又は、これらの樹脂の混合物、耐熱性樹脂にこれらフッ素系樹脂を分散させたもので構成されるが、前記表面層１０３，１１３を構成するフッ素樹脂は、好ましくは、四フッ化エチレン・パーフロロアルキルビニルエーテル共重合体樹脂（ＰＦＡ）である。このように、前記表面層１０３，１１３を構成するフッ素樹脂が、四フッ化エチレン・パーフロロアルキルビニルエーテル共重合体樹脂（ＰＦＡ）であると、強度及び平滑性を向上させることができると共に、該表面層１０３，１１３に含有される充填剤によって該表面層１０３，１１３の表面性及び離型性が低下することを防止することができ、しかも、記録媒体（記録紙）が通過することによって発生する紙粉、両面コピーが通過することにより発生する定着トナー、及び、転写定着装置内において飛散トナーが、それぞれ、該表面層に付着することをも防止することができ、それらのために、転写定着装置を高耐久化することができると共に、定着画像を高画質化することができる。
【００９２】
また、該表面層１０３，１１３は、基体１０１，１１１にチューブ状にしたものをかぶせても、湿式スプレー塗装や粉体塗装後に焼き付けてもよい。前記表面層１０３，１１３は、好ましくは、導電性物質１０３ａを含有している。かかる導電性物質１０３ａは、好ましくは、好ましくは、カーボンである金属であるが、金属粉、或いは、シリカ、マイカ、窒化ホウ素等を金属又はそれ以外の導電性物質を被覆した無機粉体であってもかまわない。前記カーボンのヨウ素吸着量は、好ましくは、４３ｍｇ／ｇ以上である。これらの導電性物質１０２ａの形状は、球状粉体を基本とするが、針状（ウィスカー状）、燐片状、中空状、又は、コイル状であてもかまわない。これらは単独でも、他の充填物と一緒に添加して使用することも可能である。このように、前記表面層１０３，１１３が導電性物質を含有していると、該表面層１０３，１１３の耐摩耗性を向上させることができると共に、該表面層１０３，１１３の帯電を防止して定着装置内に飛散するトナーが該表面層１０３，１１３に静電付着することを低減することができ、それらのために、転写定着装置を高耐久化することができると共に、定着画像を高画質化することができる。
【００９３】
前記基体１０１，１１１は、例えば、アルミニウム、鉄、ステンンレススチール、真鍮等の金属材料であるが、ポリイミド、ポリアミドイミド、フッ素樹脂等の耐熱性樹脂であってもかまわない。前記基体１０１が金属材料で構成される場合には、転写定着部材（転写定着ベルト）１１０における基体１０１の膜厚は、好ましくは、該転写定着部材の撓みを考慮して、１００μｍ以下である。前記基体１０１が耐熱性樹脂で構成される場合には、転写定着部材１１０における基体１０１の膜厚は、好ましくは、熱容量、強度の点から、３０〜２００μｍである。特に、ニップ幅が大きく取れる場合には、弾性層１０２がない場合もある。
【００９４】
弾性層１０２，１１２は、好ましくは、シリコーンゴム、フロロシリコンゴム等の耐熱性の合成ゴムである。弾性層１０２，１１２の膜厚は、好ましくは、１００〜３００μｍである。
【００９５】
本発明の画像形成装置は、請求項１〜１９のいずれか１項に記載の転写定着装置を有している。このように、請求項１〜１９のいずれか１項に記載の転写定着装置を有していると、耐久性と信頼性とを向上させると共に、環境付加を低減し、しかも、定着画像を高画質化することができる。
【００９６】
（実施例１）
（イ）直径６０ｍｍの耐熱性のポリイミド樹脂で構成される円筒体よりなる基体層の上に第１のプライマー層を形成する工程、（ロ）このプライマー層の上にシリコーン樹脂（ＤＹ−２０８３、東レ社製）の溶液を塗布し加硫して２００μｍ厚の弾性層を形成する工程、（ハ）この弾性層の上に第２のプライマー層を形成する工程、及び、（ニ）この第２のプライマー層の上にカーボンよりなる充填剤（＃９０、旭カーボン社製）２重量％添加した四フッ化エチレン・パーフロロアルキルビニルエーテル共重合体樹脂（ＰＦＡ）（三井デュポンフロロケミカル社製、ＰＦＡ３４５  ＨＰ−Ｊ）の分散液を塗布し乾燥して塗布層を形成した後、この塗布層を焼成して２０μｍ厚の離型層を形成する工程、を順次経て転写定着ベルトとした。そして、熱源として５００Ｗのハロゲンヒーターを中央部に有する定着ローラ、及び、弾性層の表面にＰＦＡチューブを被覆した直径４０ｍｍの加圧ローラを有する、図２に示される転写定着ベルトと中間転写体とを離反させる離反機構を備えた転写定着装置に、前記転写定着ベルトを装着して、転写定着装置とした。
【００９７】
（実施例２）
図３に示される転写定着ベルトと加圧部材とを離反させる離反機構を備えた転写定着装置に、前記転写定着ベルトを装着した以外は、実施例１と同様にして、転写定着装置とした。
【００９８】
（実施例３）
図１に示される転写定着ベルトと中間転写体と加圧部材とを離反させる離反機構を備えた転写定着装置に、前記転写定着ベルトを装着した以外は、実施例１と同様にして、転写定着装置とした。
【００９９】
（実施例４）
前記（ニ）においてカーボンよりなる充填剤（＃９０、旭カーボン社製）１重量％添加した以外は、実施例１と同様にして、転写定着装置とした。
【０１００】
（実施例５）
転写定着ベルトと中間転写体とを離反させる離反機構を備えない以外は、実施例１と同様にして、転写定着装置とした。
【０１０１】
以上、実施例１〜４及び比較例１で得た定着装置を画像形成装置に装着して、（１）像担持体の熱劣化、（２）加圧部材の劣化、（３）運転復帰時間、及び、（４）オフセット性を評価した。前記（１）の像担持体の熱劣化は、像担持体交換寿命より判断して、ランク評価基準：優３←２→１劣  として、ランク評価をした。前記（２）の加圧部材の劣化は、表層の傷と汚れ具合とにより判断して、ランク評価基準：優３←２→１劣  として、ランク評価をした。前記（３）の運転復帰時間は、運転停止からのファーストコピーまでの復帰時間により判断して、ランク評価基準：優３←２→１劣  として、ランク評価をした。そして、（４）のオフセット性は、定着画像及び転写定着画像の表面汚れで判断して、ランク評価基準：優３←２→１劣  として、ランク評価をした。このランク評価では、２を合格とした。評価結果は、次の表１に示される。
【０１０２】
【表１】
2006235421.tif 000003
【０１０３】
表１から次のことがわかる。即ち、離反機構を装備することにより、１）像担持体の熱劣化、加圧部材の劣化を低減することが可能となること、２）同時に離反することにより運転復帰時間を低減できること、並びに、３）離型層にカーボンを２重量％以上充填すると、離型層の摩耗傷に対する耐久性が向上すると共に、転写定着部材及び加圧部材表面へのトナーの静電オフセットを防止し、しかも、オフセット性を改善することができること、がわかる。
【図面の簡単な説明】
【０１０４】
【図１】本発明の一実施の形態を示す転写定着装置の説明図であって、（ａ）は、定常運転している状態を示し、そして、（ｂ）は、転写定着ベルトを中間転写ベルト及び加圧部材から離反させた状態を示す。
【図２】本発明の他の一実施の形態を示す転写定着装置の説明図であって、（ａ）は、定常運転している状態を示し、そして、（ｂ）は、転写定着ベルトを中間転写ベルトから離反させた状態を示す。
【図３】本発明の他の一実施の形態を示す転写定着装置の説明図であって、（ａ）は、定常運転している状態を示し、そして、（ｂ）は、転写定着ベルトを加圧部材から離反させた状態を示す。
【図４】本発明の他の一実施の形態を示す転写定着装置の説明図であって、（ａ）は、定常運転している状態を示し、そして、（ｂ）は、転写定着ローラを加圧部材から離反させた状態を示す。
【図５】本発明の一実施の形態を示す転写定着部材（定着定着ベルト）であって、（ａ）は、横断面図であり、そして、（ｂ）は、一部拡大縦断面図である。
【図６】本発明の一実施の形態を示す転写定着部材（定着定着ローラ）の横断面図である。
【図７】従来の電子写真方式の画像形成装置の説明図である。
【図８】従来のベルト方式の定着装置の説明図である。
【符号の説明】
【０１０５】
１  中間転写ベルト
２  転写定着ベルト
３  支点
４  転写圧接ローラ
５  定着ローラ
６  揺動アーム
６ａ  第１のアーム
６ｂ  第２のアーム
７  モータ
８  ギヤ
９  加圧部材
１０，１１  センサ
１２  揺動制御部
２０，３０，４０，５０  転写定着装置
１０１  基体
１０２  弾性層
１０３  離型層
１０３ａ  導電性物質
１１０  定着ベルト（定着部材）
１１１  基体
１１２  弾性層
１１３  離型層
１２０  定着ローラ（定着部材）
２０１  像担持体
２０７  記録媒体
Ｊ  ジャム
【図１】
2006235421.tif 000004
【図２】
2006235421.tif 000005
【図３】
2006235421.tif 000006
【図４】
2006235421.tif 000007
【図５】
2006235421.tif 000008
【図６】
2006235421.tif 000009
【図７】
2006235421.tif 000010
【図８】
2006235421.tif 000011